(57)【特許請求の範囲】
【請求項１】
測定対象の液体中に含まれている発光あるいは蛍光物質から発生した光あるいは測定対象の液体中に含まれている放射線を測定する測定システムに用いられる表示装置であって、
前記測定対象の液体中に含まれている発光あるいは蛍光物質から発生した光あるいは前記測定対象の液体中に含まれている放射線の測定情報を有した測定情報画像を表示し、当該測定情報画像の特定位置に前記測定対象が識別可能な識別情報を付加して表示する第１識別情報表示手段と、
前記測定対象の液体を収容する容器における特定位置と、その容器を固定して位置決めを行いつつ支持する固定治具との相対位置を記憶する相対位置記憶手段を備え、
前記識別情報を、前記相対位置記憶手段に記憶された当該相対位置に基づいて決定することを特徴とする表示装置。
【請求項２】
請求項１に記載の表示装置において、
前記測定対象の液体の形態情報を有した形態情報画像を表示する形態情報画像表示手段を備えることを特徴とする表示装置。
【請求項３】
請求項１に記載の表示装置において、
前記測定対象の液体の形態情報を有した形態情報画像を加工処理する形態情報画像加工処理手段と、
その形態情報画像加工処理手段により加工処理された当該形態情報画像を表示する形態情報画像表示手段と、
を備えることを特徴とする表示装置。
【請求項４】
請求項２または請求項３に記載の表示装置において、
前記形態情報画像表示手段により表示された当該形態情報画像の特定位置に前記測定対象が識別可能な識別情報を付加して表示する第２識別情報表示手段を備えることを特徴とする表示装置。  
【請求項５】
請求項１に記載の表示装置において、
前記測定情報画像、前記測定対象の液体の形態情報を有した形態情報画像を重ね合わせて重畳表示する重畳表示手段を備えることを特徴とする表示装置。
【請求項６】
請求項５に記載の表示装置において、
前記形態情報画像を表示する形態情報画像表示手段を備えることを特徴とする表示装置。
【請求項７】
請求項５に記載の表示装置において、
前記形態情報画像を加工処理する形態情報画像加工処理手段と、
その形態情報画像加工処理手段により加工処理された当該形態情報画像を表示する形態情報画像表示手段とを備えることを特徴とする表示装置。
【請求項８】
請求項６または請求項７に記載の表示装置において、
前記形態情報画像表示手段により表示された当該形態情報画像の特定位置に前記測定対象が識別可能な識別情報を付加して表示する第２識別情報表示手段を備えることを特徴とする表示装置。
【請求項９】
請求項５または請求項８のいずれかに記載の表示装置において、
前記重畳表示手段により重畳表示された当該画像の特定位置に前記測定対象が識別可能な識別情報を付加して表示する第３識別情報表示手段を備えることを特徴とする表示装置。
【発明の詳細な説明】
【技術分野】
【０００１】
この発明は、測定対象の液体中に含まれている発光あるいは蛍光物質から発生した光あるいは測定対象の液体中に含まれている放射線を測定する測定システムに用いられる表示装置に関する。
【背景技術】
【０００２】
測定システムは、例えば液体採取装置に用いられる。液体採取装置として、血液を採取する、すなわち採血する採血装置を例にとって説明する。採血装置は、核医学診断（例えば、ＰＥＴ(Positron Emission Tomography)、ＳＰＥＣＴ（Single Photon Emission CT）など）における定量解析で用いられ、特に小動物（例えばマウスやラットなど）の動脈血中の放射能濃度の測定に用いられている。
【０００３】
具体的には、小動物に放射性薬剤を投与した後に血液を採取（採血）して、既定時間ごとの全採血終了後に遠心分離による血漿分離を行い、全血および血漿中の放射能濃度の時間変化を測定する（例えば、特許文献１、２参照）。より具体的に説明すると、血液中に含まれているβ＋線に対して露光を行って放射能分布を可視化するイメージングプレート（IP: Imaging Plate）を用いて測定する。イメージングプレート（「ＩＰ」と適宜略記する）から得られたＩＰ画像から放射線量の値を取得するソフトウェアとして、例えば富士フィルム社製のMulti Gaugeがある。このソフトウェアでは、ＩＰ画像を読み込んでソフトウェア上で関心領域を設定して、関心領域内の画素値を計算することで、単位面積当たりの放射線量を求めることができる。
【０００４】
特許文献１では、所定の寸法で区切られた容器に放射能を放射する試料（ここでは血液）を入れ、ＩＰで試料の放射線強度を測定し、スキャナで試料の面積を測定する。所定の寸法で容器が設計されていることから、測定結果の試料の面積から試料の体積を求める。そして、ＩＰで取得された放射線強度のＩＰ画像とスキャナで取得されたスキャナ画像とを合わせて、各試料の放射能濃度（＝放射線強度／体積）を算出する技術が示されている。特許文献２では、所定の寸法で区切られた容器の例が示されており、平面状の円板に複数の試料を入れる流路が形成された容器が示されている。
【先行技術文献】
【特許文献】
【０００５】
【特許文献１】国際公開第ＷＯ２００９−０９３３０６号
【特許文献２】特開２０１１−０７５４２０号公報
【発明の概要】
【発明が解決しようとする課題】
【０００６】
しかしながら、上述した特許文献１、２でそれぞれ示されている技術を併せた場合、測定情報画像（例えばＩＰ画像）中の各流路と、スキャナ画像中の各流路とを個別に識別する必要がある。
すなわち、求める放射線濃度の流路がどの流路であるのかを調べる必要がある。したがって、時間をかけて流路を順番に数えて位置を特定するために流路をそれぞれ調べる必要が生じ、流路の位置を特定する時間を要してしまう。もし、特定する流路を間違えた場合には、求める流路とは異なる流路における放射線強度を体積で除算する、もしくは求める流路とは異なる流路における体積で放射線強度を除算してしまい、放射能濃度を間違えて求めてしまう。
【０００７】
また、各試料の放射能濃度（＝放射線強度／体積）を算出する際に、放射線強度の測定不良などから特定の試料を排除したい場合やデータの補正を行いたい場合などに誤る可能性や、無用な時間が必要になる場合がある。また、ＩＰで取得されたＩＰ画像などに代表される測定情報画像において、ＩＰの検出限界に近い試料を用いた場合には、画像が不鮮明になり、試料の特定が困難になる。
【０００８】
この発明は、このような事情に鑑みてなされたものであって、少なくとも測定情報画像上において特定位置を容易に識別することができる測定システムに用いられる表示装置を提供することを目的とする。
【課題を解決するための手段】
【０００９】
発明者らは、上記の問題を解決するために鋭意研究した結果、次のような知見を得た。
【００１０】
すなわち、固定冶具などによって容器を固定して位置決めを行いつつ支持する、あるいは容器に切り欠きや突起を容器に設ける、または（例えば容器とは別物質を貼り付ける、容器に記号や番号を刻印する、または容器に記号や番号の模様からなる部材を突起状に設けるなど）マーカを容器に付ければ、流路を個々に識別することが可能である。実際に、スキャナで取得されたスキャナ画像は、試料を含め容器の形態情報を有した形態情報画像であるので、切り欠きや突起やマーカなどの情報は画像に反映される。しかし、ＩＰで取得されたＩＰ画像は、放射線の測定情報を有した測定情報画像であるので、切り欠きや突起やマーカなどの情報は画像に反映されないことが判明した。
【００１１】
なお、固定冶具などによって容器を固定して位置決めを行いつつ支持した場合には、流路も固定されるので、ＩＰ画像・スキャナ画像間で流路を個別に識別することが可能である。また、近年では、これらの画像を可視化して表示する技術も開発されつつあって、この技術を組み合わせると、固定された各々の流路を表示して容易に識別することが可能である。
【００１２】
一方、上述の特許文献１、２で用いられる容器は３６本の流路を設けた円板であるので、互いに隣接する流路の角度は３６０°／３６本＝１０°／本である。したがって、固定冶具と可視化して表示する技術とを組み合わせたとしても、角度が１０°しかなく、３６本も多数に設計された流路を個別に識別するのは容易でない。たとえ固定冶具と可視化して表示する技術とを組み合わせたとしても、表示の際に個々の画像間で角度がずれている場合には、角度に関する校正（キャリブレーション）を行わなければならない。また、個々の画像を重ね合わせて重畳表示したとしても、角度がずれて表示されていることに気づかずに、角度がずれた状態で互いに隣接する流路同士で重畳表示する可能性もある。
【００１３】
また、固定冶具と可視化して表示する技術とを組み合わせたとしても、切り欠きや突起やマーカなどの情報（識別情報）はスキャナ画像に反映されるが、これらの識別情報がＩＰ画像に反映されないことには変わりがない。してみれば、可視化して表示する技術の他に、ＩＰ画像などに代表される測定情報画像の特定位置に識別情報を付加して表示すれば、スキャナ画像などの形態情報画像以外にもＩＰ画像などの測定情報画像に識別情報を表示することができ、固定冶具の有無に関係なく各画像間で特定位置を容易に識別することができるという知見を得た。
【００１４】
このような知見に基づくこの発明は、次のような構成をとる。
すなわち、この発明に係る測定システムに用いられる表示装置は、測定対象の液体中に含まれている発光あるいは蛍光物質から発生した光あるいは測定対象の液体中に含まれている放射線を測定する測定システムに用いられる表示装置であって、前記測定対象の液体中に含まれている発光あるいは蛍光物質から発生した光あるいは前記測定対象の液体中に含まれている放射線の測定情報を有した測定情報画像を表示し、当該測定情報画像の特定位置に前記測定対象が識別可能な識別情報を付加して表示する第１識別情報表示手段と、前記測定対象の液体を収容する容器における特定位置と、その容器を固定して位置決めを行いつつ支持する固定治具との相対位置を記憶する相対位置記憶手段を備え、前記識別情報を、前記相対位置記憶手段に記憶された当該相対位置に基づいて決定することを特徴とするものである。
【００１５】
この発明に係る測定システムに用いられる表示装置によれば、測定対象の液体中に含まれている発光あるいは蛍光物質から発生した光あるいは測定対象の液体中に含まれている放射線の測定情報を有した測定情報画像を表示し、当該測定情報画像の特定位置に測定対象が識別可能な識別情報を付加して表示する第１識別情報表示手段を備えることで、本来であれば識別情報が反映されない測定情報画像に識別情報を付加して表示することにより、少なくとも測定情報画像上において特定位置を容易に識別することができる。そしてこの表示装置において、測定対象の液体を収容する容器における特定位置と、その容器を固定して位置決めを行いつつ支持する固定治具との相対位置を記憶する相対位置記憶手段を備え、識別情報を、相対位置記憶手段に記憶された当該相対位置に基づいて決定する。固定冶具によって容器を固定して位置決めを行いつつ支持すれば、固定冶具と容器の特定位置との相対位置が決定されるので、その相対位置を相対位置記憶手段に記憶する。そして、相対位置記憶手段に記憶された当該相対位置に基づいて識別情報を容易に決定することができるので、当該相対位置に基づいて識別情報を付加して表示するのが容易になり、正確な識別情報を付加して表示することができる。
【００１６】
上述したこの発明に係る表示装置において、測定対象の液体の形態情報を有した形態情報画像を表示する形態情報画像表示手段を備える場合には、形態情報画像には識別情報が反映されるので、両画像間で識別情報を比較することにより、両画像間の特定位置を個々に容易に識別することができる。
【００１７】
また、測定対象の液体の形態情報を有した形態情報画像を加工処理（例えば縮小処理、拡大処理あるいは輪郭を強調する強調処理など）する形態情報画像加工処理手段と、その形態情報画像加工処理手段により加工処理された当該形態情報画像を表示する形態情報画像表示手段とを備える場合においても、形態情報画像には識別情報が反映されるので、両画像間で識別情報を比較することにより、両画像間の特定位置を個々に容易に識別することができる。特に、形態情報画像が不鮮明で、形態情報画像の輪郭を強調する強調処理を行う場合には、輪郭が強調処理された形態情報画像を表示することで、両画像間の特定位置を個々により一層容易に識別することができる。
【００１８】
また、形態情報画像には識別情報が反映されるものの、その識別情報が不鮮明である場合、あるいは形態情報画像を加工処理（例えば縮小処理）することにより識別情報が不鮮明になった場合には、形態情報画像にも識別情報を付加して表示するのが好ましい。すなわち、形態情報画像表示手段により表示された当該形態情報画像の特定位置に測定対象が識別可能な識別情報を付加して表示する第２識別情報表示手段を備えることで、測定情報画像および形態情報画像の双方に識別情報を付加して表示することにより、両画像上において特定位置をより一層容易に識別することができる。
【００１９】
上述したこの発明に係る表示装置において、測定情報画像、（測定対象の液体の形態情報を有した）形態情報画像を重ね合わせて重畳表示する重畳表示手段を備えるのが好ましい。測定情報画像と形態情報画像とを重ね合わせて重畳表示することで、測定情報画像から形態情報画像の測定対象の領域を視覚的に把握することができる。
【００２０】
重畳表示手段を備えた場合においても、形態情報画像を表示する形態情報画像表示手段を備えてもよい。かかる形態情報画像表示手段を備える場合には、形態情報画像には識別情報が反映されるので、両画像間で識別情報を比較することにより、両画像間の特定位置を個々に容易に識別することができる。
【００２１】
また、重畳表示手段を備えた場合においても、形態情報画像を加工処理する形態情報画像加工処理手段と、その形態情報画像加工処理手段により加工処理された当該形態情報画像を表示する形態情報画像表示手段とを備えてもよい。かかる形態情報画像加工処理手段および形態情報画像表示手段を備える場合においても、形態情報画像には識別情報が反映されるので、両画像間で識別情報を比較することにより、両画像間の特定位置を個々に容易に識別することができる。特に、形態情報画像が不鮮明で、形態情報画像の輪郭を強調する強調処理を行う場合には、輪郭が強調処理された形態情報画像を表示することで、両画像間の特定位置を個々により一層容易に識別することができる。
【００２２】
また、重畳表示手段を備えた場合においても、形態情報画像表示手段により表示された当該形態情報画像の特定位置に測定対象が識別可能な識別情報を付加して表示する第２識別情報表示手段を備えることで、測定情報画像および形態情報画像の双方に識別情報を付加して表示することにより、両画像上において特定位置をより一層容易に識別することができる。
【００２３】
さらに、重畳表示手段を備えた場合において、重畳表示手段により重畳表示された当該画像の特定位置に測定対象が識別可能な識別情報を付加して表示する第３識別情報表示手段を備えてもよい。重畳表示された画像にも識別情報を付加して表示することにより、当該画像上において特定位置をより一層容易に識別することができる。
【発明の効果】
【００２５】
この発明に係る測定システムに用いられる表示装置によれば、測定対象の液体中に含まれている発光あるいは蛍光物質から発生した光あるいは測定対象の液体中に含まれている放射線の測定情報を有した測定情報画像を表示し、当該測定情報画像の特定位置に測定対象が識別可能な識別情報を付加して表示する第１識別情報表示手段とを備えることで、測定情報画像に識別情報を付加して表示することにより、少なくとも測定情報画像上において特定位置を容易に識別することができる。
【図面の簡単な説明】
【００２６】
【図１】各実施例に係る採血装置および測定装置の概略斜視図である。
【図２】各実施例に係る測定装置のブロック図である。
【図３】測定装置の撮像部におけるスキャナの概略斜視図である。
【図４】各実施例に係る円板の概略平面図である。
【図５】各実施例に係る表示装置のブロック図である。
【図６】表示装置の出力モニタにおける表示形態の一例である。
【図７】実施例に係る固定治具の概略平面図である。
【図８】識別情報の一例である流路入口の番号をＩＰ画像に付加した図である。
【図９】実施例１に係る一連の処理の流れを示したフローチャートである。
【図１０】実施例２に係る一連の処理の流れを示したフローチャートである。
【実施例１】
【００２７】
以下、図面を参照してこの発明の実施例１を説明する。
図１は、各実施例に係る採血装置および測定装置の概略斜視図であり、図２は、各実施例に係る測定装置のブロック図であり、図３は、測定装置の撮像部におけるスキャナの概略斜視図である。後述する実施例２も含めて、本実施例１では、測定対象の液体として血液を例に採って説明するとともに、測定システムとして採血装置および測定装置を備えたシステムを例に採って説明する。
【００２８】
後述する実施例２も含めて、図１に示すように、本実施例１に係る採血装置１０は、測定対象の血液を時系列に分離して採取する。また、採血装置１０の周辺には、採血装置１０で採取された血液中に含まれている放射線（例えばβ線やγ線など）を測定する測定装置３０を備えている。
【００２９】
採血装置１０は、２枚のＰＤＭＳ樹脂（Polydimethylsiloxane）からなるＰＤＭＳ基板１１，１２を上下に重ねて構成された微小流体素子（液体分割デバイス）４０を備えている。ＰＤＭＳ基板１１，１２に対して所定の寸法で溝加工を施しており、その溝加工の溝によって主流路１３および側路４１，４２，４３をそれぞれ形成している。ここで、採血装置１０の素材はＰＤＭＳに限定されず、アクリル、ポリカーボネート、COP（シクロオレフィンポリマー）など樹脂光学的に透明なものであれば良い。
【００３０】
主流路１３の血液入口側にはカテーテル１４を配設しており、主流路１３とカテーテル１４とを、コネクタ１５を介して接続している。血液はカテーテル１４から主流路１３に連続的に送り込まれ、流入量はバルブ（図示省略）で制御される。主流路１３の血液出口側には血液用配管１６を配設しており、主流路１３と血液用配管１６とを、コネクタ１７を介して接続している。
【００３１】
主流路１３を挟んで光源２１およびフォトダイオード２２を配設している。主流路１３を流れる血液あるいは後述するヘパリン溶液に光源２１から光を照射し、血液による遮光をフォトダイオード２２が検知することで、その血液あるいはヘパリン溶液を光学的に監視（モニタ）しながら後述する血液あるいはヘパリン溶液の長さ情報を測定する。ここでは光学測定手段として光源２１およびフォトダイオード２２を例に採って説明したが、測定対象の液体を光学的に監視しながら液体の間隔を測定する手段であれば、光源２１およびフォトダイオード２２に限定されない。例えば、ＣＣＤカメラによって測定対象の液体の体積情報を取得してもよい。また、光源２１およびフォトダイオード２２は、図１に示すように主流路１３を挟んで互いに対向配置される構成で、血液による遮光で検知する、いわゆる「透過型センサ」であったが、光源に対してフォトダイオードに代表される光検出手段を同じ側に配設し、血液による反射光で検知する、いわゆる「反射型センサ」であってもよい。
【００３２】
一方、上述した血液用配管１６の下流側にはノズル２３を接続している。ノズル２３としては、注射針やガラス管など毛細管を使用する。ここで、液体を吐出する吐出部としてノズル２３を用いているが、ディスペンサを使用してもよい。このノズル２３から滴下した血液を受け取って収容する円板（「ＣＤウェル」とも呼ばれる）２４を配設している。円板２４の中央側には、滴下された血液を受け取る複数の開口部からなる流路入口２５（図４も参照）を放射状に配設している。円板２４に対しても、上述したＰＤＭＳ基板１１，１２と同様に、溝加工を施しており、その溝加工の溝によってＵ字型の溝からなる複数本のＵ字流路２６（図４も参照）を放射状に形成している。各々のＵ字流路２６は、上述した流路入口２５の外側一端に一対一でそれぞれ接続されており、各々のＵ字流路２６は、円板２４の径方向に延びて形成されている。このように、ノズル２３を介在させることで、主流路１３に対して血液が流通可能に円板２４が形成されることになる。円板２４は、この発明における容器に相当する。円板２４の具体的な構成については、図４以降で後述する。
【００３３】
一方、測定装置３０は、読取部３１を備えている。この読取部３１には、露光後のイメージングプレートＩＰを挿入するためのカバー部を設けており、イメージングプレートＩＰから励起された光を読み取ることで血液中に含まれているβ＋線を検出する。具体的には、図１（ｂ）に示すように、読取部３１は、レーザ光源３２とフォトマルチプライヤチューブ（光電子増倍管）３３とを備えており、レーザ光源３２からイメージングプレートＩＰにレーザを照射して、イメージングプレートＩＰへのレーザ照射によって励起された光をフォトマルチプライヤチューブ３３が電子に変換して増倍させることで、β＋線を２次元的に同時に検出する。
【００３４】
続いて、測定装置３０のブロック図について説明する。図２に示すように、測定装置３０は、上述した読取部３１の他に、撮像部３４と表示装置３５とを備えている。表示装置３５については、通常のパーソナルコンピュータで構成してもよい。表示装置３５は、この発明における表示装置に相当する。表示装置３５の具体的な構成については、図５以降で後述する。
【００３５】
図３に示すように、撮像部３４は円板２４を撮像する。後述する実施例２も含めて、本実施例１では、撮像部３４としてフラットヘッドスキャナを採用する。円板２４の直径分の長さを少なくとも有する線状の光源３４ａと円板２４を挟んで光源３４ａに対して対向配置された線状のフォトダイオードアレイ（すなわちラインセンサ）３４ｂでフラットヘッドスキャナを構成する。フラットヘッドスキャナで円板２４上を走査（スキャン）することで円板２４を撮像して、円板２４の画像を取得する。
【００３６】
図１の説明に戻り、上述したように、微小流体素子４０は、血液を送り込む主流路１３と、血液凝固の発生を防ぐための抗凝固剤の一種であるヘパリン溶液を送り込む側路４１と、空気あるいはガスを送り込む側路４２と、血液あるいはヘパリン溶液を排出する側路４３とを備えている。
【００３７】
側路４１の溶液入口側には洗浄液用配管４４を配設しており、側路４１と洗浄液用配管４４とを、コネクタ４５を介して接続している。必要に応じて主流路１３にヘパリン溶液を洗浄液用配管４４から側路４１を介して流し込むことで流路を洗浄する。ヘパリン溶液の流入量はバルブで制御される。抗凝固剤はヘパリン溶液に限定されない。
【００３８】
側路４２の気体入口側には気泡用配管４６を配設しており、側路４２と気泡用配管４６とを、コネクタ４７を介して接続している。圧力発生器（図示省略）で制御された空気あるいはガスの流入時間をバルブで調整して、側路４２を通して主流路１３に送り込む。この気泡によって血液の長さ情報に基づく血液の取り出しと微小流体素子４０の流路に残留する廃液（血液、ヘパリン溶液あるいはこれらの混合液）の排出を行う。ここで、送り込まれるガスについては限定されず、ヘリウムやネオンやアルゴンなどの希ガス、あるいは窒素ガスに例示されるように、血液やヘパリン溶液と反応しないガスであれば良い。
【００３９】
気泡用配管４６は、側路１４を通って主流路１３に気体（例えば空気やガスなど）を送り込み、指定された所定の間隔でその気体を気泡として挿入することで、測定対象の血液を時系列的に分離して円板２４に送り出す。つまり、気泡は、セパレータとしての機能を果たす。なお、セパレータとして気体を使用したが、気体に限定されずに、測定対象の液体（各実施例１、２では血液）に対して混合する可能性が少ない、あるいは可能性がなければ、測定対象の液体とは別の液体をセパレータとして使用してもよい。後述する実施例２も含めて、本実施例１のように測定対象の液体が血液の場合には、ミネラルオイルやフッ素系のオイルなどに代表されるように血液と相互に混ざり合わない液体をセパレータとして使用してもよい。但し、液体をセパレータとして使用する場合には、血液と接触するのでセパレータとして使用できるが、円板２４に送り出して採取する点では望ましくない。
【００４０】
側路４３の廃液出口側には廃液用配管４８を配設しており、側路４３と廃液用配管４８とを、コネクタ４９を介して接続している。バルブで排出量を調整して採血されるべき血液以外の血液や、流路洗浄後のヘパリン溶液や、これらの混合液を廃液として排出する。
【００４１】
また、主流路１３のコネクタ１５よりも下流にバルブを配設し、主流路１３のコネクタ１７、光源２１およびフォトダイオード２２よりも上流にバルブを配設している。側路４１のコネクタ４５よりも下流にバルブを配設し、側路４２のコネクタ４７よりも下流にバルブを配設している。また、側路４３のコネクタ４９よりも上流にバルブを配設している。
【００４２】
次に、円板２４の具体的な構成について、図１も含めて図４を参照して説明する。図４は、各実施例に係る円板の概略平面図である。円板２４のＵ字流路２６は、図４に示すように、上述の流路入口２５と空気穴２７とをつないで形成されている。血液の導入口である流路入口２６を血液の上流部、空気穴２７を下流部としたときに、上流部から下流部へは、Ｕ字流路２６は、円板２４の径方向に内側から外側に向かって延びて、折り返して円板２４の径方向に外側から内側に向かって延びて形成されたＵ字型となっている。かかるＵ字流路２６を複数に備えている。
【００４３】
なお、円板２４には２箇所の窪み２４Ａ，２４Ｂがあり、後述する固定治具６１（図７を参照）に嵌合される。固定冶具６１は、この発明における固定冶具に相当する。固定冶具６１については、図７以降で後述する。
【００４４】
図１に示すように、円板２４の中央に円板２４を回転させるモータ２８を備えている。モータ２８の回転軸２９を円板２４に連結させることで、モータ２８による円板２４の遠心力を利用して、血液を遠心分離させて血漿および血球に分離する血漿分離を行う。
【００４５】
後述する実施例２も含めて、本実施例１では、円板２４はアクリル板で形成されている。円板２４の素材はアクリルに限定されず、上述のＰＤＭＳ、その他、ポリカーボネート、ＣＯＰなど樹脂光学的に透明なものであれば良い。
【００４６】
次に、表示装置３５の具体的な構成について、図５および図６を参照して説明する。図５は、各実施例に係る表示装置のブロック図であり、図６は、表示装置の出力モニタにおける表示形態の一例である。図５に示すように、表示装置３５は、第１読み込み部３６Ａと第２読み込み部３６Ｂとメモリ部３７とコントローラ３８と入力部３９と出力モニタ５０とを備えている。コントローラ３８は、この発明における形態情報画像加工処理手段に相当する。
【００４７】
第１読み込み部３６Ａおよび第２読み込み部３６Ｂは、例えばＩ／Ｏ（Input/Output）デバイスなどの読み込みデバイスなどで構成されている。第１読み込み部３６Ａは、読取部３１（図１や図２を参照）を介してイメージングプレートＩＰ（図１を参照）で取得されたＩＰ画像を読み込む。第２読み込み部３６Ｂは、撮像部３４で取得されたスキャナ画像を読み込む。ＩＰ画像は、この発明における測定情報画像に相当し、スキャナ画像は、この発明における形態情報画像に相当する。
【００４８】
メモリ部３７は、ＲＯＭ（Read-only Memory）やＲＡＭ（Random Access Memory）などに代表される記憶媒体で構成されている。後述する実施例２も含めて、本実施例１では、図９に示す一連の処理をコンピュータ（各実施例ではコントローラ３８）に実行させるための表示プログラム３７Ａと、血液を収容する円板２４（図１や図３や図４を参照）における特定位置と、その円板２４を固定して位置決めを行いつつ支持する固定治具６１（図７を参照）との相対位置を記憶する相対メモリ部３７Ｂとをメモリ部３７は備えている。表示プログラム３７ＡはＲＯＭで構成され、相対位置メモリ部３７ＢはＲＡＭで構成されている。後述する実施例２も含めて、本実施例１では、円板２４の特定位置として、円板２４のＵ字流路２６（図１や図４を参照）を例に採って説明する。相対位置メモリ部３７Ｂは、この発明における相対位置記憶手段に相当する。
【００４９】
コントローラ３８は、中央演算処理装置（ＣＰＵ）などで構成されている。各種の画像処理を行うためのプログラムや、放射能濃度を算出するプログラムや、図５に示す表示プログラム３７Ａ等をコントローラ３８が実行することでそのプログラムに応じた画像処理や表示プログラム３７Ａに応じた図９に示す一連の処理（第１／第２読み込み部３６Ａ，３６Ｂへの読み込み制御、出力モニタ５０における表示態様）を行う。各種の画像処理として、コントローラ３８は、スキャナ画像を加工処理（例えば縮小処理、拡大処理あるいは輪郭を強調する強調処理など）する形態情報画像加工処理手段の機能を有している。
【００５０】
入力部３９は、マウスやキーボードやジョイスティックやトラックボールやタッチパネルなどに代表されるポインティングデバイスなどで構成されている。後述する実施例２も含めて、本実施例１では、入力部３９は、後述するメイン画面５１（図６を参照）に拡大表示するために、後述する縮小画面５２，５３，５４（図６を参照）に縮小表示された各画像を選択する画像選択の機能を有している。
【００５１】
出力モニタ５０は、図６に示すように、メインとなる画像を拡大表示するメイン画面５１と、ＩＰ画像を縮小表示する縮小画面５２と、スキャナ画像を縮小表示する縮小画面５３と、ＩＰ画像・スキャナ画像を重ね合わせて重畳処理した重畳処理後の画像を縮小表示する縮小画面５４とを備えている。図６では、第１読み込み部３６Ａで読み込まれたＩＰ画像、第２読み込み部３６Ｂで読み込まれたスキャナ画像を重ね合わせてメイン画面５１に重畳表示している。メイン画面５１には、ＩＰ画像の流路入口２６（図１や図４を参照）に該当する特定位置に測定対象が識別可能な識別情報（図８では「１」〜「３６」の番号）を付加して表示する。メイン画面５１は、この発明における第１識別情報表示手段および重畳表示手段に相当し、（スキャナ画像を縮小表示する）縮小画面５３は、この発明における形態情報画像表示手段に相当する。
【００５２】
次に、固定治具６１の具体的な構成について、図７を参照して説明する。図７は、各実施例に係る固定治具の概略平面図である。かかる円板２４（図１や図３や図４を参照）を固定して位置決めを行いつつ支持するために、図７に示すように固定治具６１を備えている。固定冶具６１には、円板２４が嵌合する開口部６２が設けられており、その開口部６２に２つの突起部６２Ａ，６２Ｂが設けられている。突起部６２Ａに円板２４の窪み２４Ａ（図４を参照）を嵌合し、突起部６２Ｂに円板２４の窪み２４Ｂ（図４を参照）を嵌合することで、固定治具６１は円板２４を固定して位置決めを行いつつ支持する。後述する実施例２も含めて、本実施例１では、２つの円板２４を固定して位置決めを行いつつ支持するために、開口部６２を２つ設けている。
【００５３】
図７に示すように、固定治具６１の長手方向の長さをＬとしたときに、一方の円板２４（図１や図３や図４を参照）ならびにそれを嵌合する開口部６２の中心が１／４Ｌの位置になるように開口部６２を設けるとともに、他方の円板２４ならびにそれを嵌合する開口部６２の中心が３／４Ｌの位置になるように開口部６２を設けている。また、図面の左上には固定治具６１に切り欠き６１Ａを設けている。
【００５４】
なお、図７に示す固定治具６１の場合には１８０°回転させると流路入口２６（図１や図４を参照）の対称性から上下左右を間違える恐れがあるが、切り欠き６１Ａを図面の左上に設けることで、読取部３１（図１や図２を参照）を介してイメージングプレートＩＰ（図１を参照）で取得されたＩＰ画像も、撮像部３４で取得されたスキャナ画像も、切り欠き６１Ａを基準として向きをそろえることができる。
【００５５】
モータ２８（図１を参照）による円板２４（図１や図３や図４を参照）の遠心力により、血漿および血球に血漿分離された円板２４を固定治具６１は固定して位置決めを行いつつ支持することで、円板２４の各々の流路入口２６（図１や図４を参照）の向きや位置も固定される。そして、向きや位置が固定された状態で、イメージングプレートＩＰ（図１を参照）を用いて円板２４の撮像を行ってＩＰ画像を取得し、撮像部３４（図２や図３や図５を参照）のフラットヘッドスキャナによる円板２４の撮像を行ってスキャナ画像を取得する。なお、撮像の順番については特に限定されない。
【００５６】
具体的に説明すると、２つの円板２４（図１や図３や図４を参照）および固定治具６１をサンプルとして、図示を省略するカセッテを開いて収容して、その上にイメージングプレートＩＰ（図１を参照）を収容して、カセッテを閉じて露光を行う。この露光によって、血液中に含まれているβ＋線の電離能により、イメージングプレートＩＰの蛍光体（図示を省略）の格子欠陥に電子が捕獲される。一定時間の露光後にイメージングプレートＩＰをカセッテから取り出して、測定装置３０（図１を参照）の読取部３１（図１や図２を参照）のカバー部に挿入して、イメージングプレートＩＰに光を照射して露光を行う。
【００５７】
読取部３１（図１や図２を参照）のレーザ光源３２（図１や図２を参照）からイメージングプレートＩＰ（図１を参照）にレーザを照射する。捕獲された電子がこの照射によって伝導体に励起され正孔と再結合し、蛍光体から光として励起される。このイメージングプレートＩＰへのレーザ照射によって励起された光をフォトマルチプライヤチューブ３３（図１や図２や図５を参照）が電子に変換して増倍させることで、電気パルスとして２次元的に同時に検出して計数する。なお、レーザ光源３２からイメージングプレートＩＰへ照射した後には、再利用するために消去用光源（図示省略）から光をイメージングプレートＩＰへ照射することで、捕獲された電子を消去する。イメージングプレートＩＰと読取部３１で求められたβ＋線の計数情報に基づいて、β＋線の計数情報である血中の放射線量を求める。このようにして、ＩＰ画像が取得される。
【００５８】
一方、撮像部３４（図２や図３や図５を参照）は、血漿分離された血漿および血球を２つの円板２４（図１や図３や図４を参照）およびそれらを支持した固定治具６１ごと撮像する。撮像部３４のフラットヘッドスキャナの光源３２ａ（図３を参照）から光を照射することで、吸光度の相違によって血漿および血球が撮像された画像上で濃淡差となって現れ、画像上で容易に識別可能である。このようにして、スキャナ画像が取得される。
【００５９】
スキャナ画像は、血液や円板２４（図１や図３や図４を参照）や切り欠き６１Ａを設けた固定冶具６１を含んだ形態情報画像であるので、切り欠き６１Ａなどの情報も反映されるが、ＩＰ画像は、測定情報を有した測定情報画像であるので、切り欠き６１Ａなどの情報は画像に反映されない。しかし、固定冶具６１によって各々の流路入口２６（図１や図４を参照）の向きや位置が固定されるので、（円板２４の固定位置である）円板２４のＵ字流路２６と固定治具６１との相対位置も決定される。
【００６０】
円板２４（図１や図３や図４を参照）のＵ字流路２６（図１や図４を参照）と固定治具６１との相対位置を相対位置メモリ部３７Ｂ（図５を参照）に書き込んで記憶する。そして、識別情報を、相対位置メモリ部３７Ｂに記憶された当該相対位置に基づいて決定する。
【００６１】
識別情報の一例として、図８を参照して説明する。図８は、識別情報の一例である流路入口の番号をＩＰ画像に付加した図である。図８では、測定対象が識別可能な識別情報として番号をＩＰ画像に付加している。Ｕ字流路２６（図１や図４を参照）は３６本の流路からなるので、図８に示すように「１」から順に番号をつけていくと、「１」〜「３６」の番号が識別情報（符号７０を参照）となる。
【００６２】
次に、一連の処理について、図９を参照して説明する。図９は、実施例１に係る一連の処理の流れを示したフローチャートである。
【００６３】
先ず、読取部３１（図１や図２を参照）を介してイメージングプレートＩＰ（図１を参照）からＩＰ画像を取得するとともに、撮像部３４（図２や図３や図５を参照）のフラットヘッドスキャナからスキャナ画像を取得する。また、固定冶具６１（図７を参照）によって各々の流路入口２６（図１や図４を参照）の向きや位置が固定されるので、円板２４（図１や図３や図４を参照）のＵ字流路２６と固定治具６１との相対位置も決定され、当該相対位置を流路入口の番号として相対位置メモリ部３７Ｂ（図５を参照）に書き込んで記憶する。
【００６４】
（ステップＳ１）画像読み込み
第２読み込み部３６Ｂ（図５を参照）は、撮像部３４（図２や図３や図５を参照）で取得されたスキャナ画像を読み込む。
【００６５】
（ステップＵ１）輪郭強調
関心領域を抽出するために、ステップＳ１で読み込まれたスキャナ画像の輪郭をコントローラ３８（図５を参照）は強調して輪郭強調画像を出力する。輪郭強調処理としては、例えばゾーベルフィルタ(Sobel filter)処理やプレヴィットフィルタ(Prewitt filter)処理などに代表される、注目画素とその周辺画素との差分を求める一次微分による輪郭強調処理、ラプラシアンフィルタ(Laplacian filter)処理などに代表される、注目画素とその周辺画素との差分のさらなる差分を求める二次微分による輪郭強調処理などを行えばよい。これらの輪郭強調処理については公知の技術であるので、その説明を省略する。
【００６６】
（ステップＴ１）画像読み込み
一方、第１読み込み部３６Ａ（図５を参照）は、読取部３１（図１や図２を参照）を介してイメージングプレートＩＰ（図１を参照）で取得されたＩＰ画像を読み込む。上述のステップＳ１，このステップＴ１の順番については特に限定されず、ステップＴ１を先に行ってもよいし、ステップＳ１を先に行ってもよいし、ステップＳ１，Ｔ１を同時並行に行ってもよい。
【００６７】
（ステップＵ２）重畳処理
ステップＴ１で読み込まれたＩＰ画像、ステップＳ１で読み込まれたスキャナ画像を重ね合わせて重畳処理する。本実施例１では、好ましくは、ステップＴ１で読み込まれたＩＰ画像、ステップＵ１で輪郭が強調された輪郭強調画像を重ね合わせて重畳処理する。
【００６８】
（ステップＳ２）縮小表示
ステップＳ１で読み込まれたスキャナ画像をコントローラ３８（図５を参照）は縮小処理して、縮小処理後のスキャナ画像を、図６に示す縮小画面５３に表示する。この縮小処理によって、スキャナ画像を縮小画面５３に縮小表示する。なお、輪郭が強調されていないスキャナ画像の替わりに、ステップＵ１で輪郭が強調された輪郭強調画像を縮小画面５３に縮小表示してもよい。ただし、この縮小表示はステップＵ４での画像選択のための表示処理であって、詳細に表示されるわけではないことから、必ずしもステップＵ１で輪郭が強調された輪郭強調画像を縮小画面５３に縮小表示する必要はない。
【００６９】
（ステップＴ２）縮小表示
一方、ステップＴ１で読み込まれたＩＰ画像もコントローラ３８（図５を参照）は縮小処理して、縮小処理後のＩＰ画像を、図６に示す縮小画面５２に表示する。この縮小処理によって、ＩＰ画像を縮小画面５２に縮小表示する。
【００７０】
（ステップＵ３）縮小表示
ステップＵ２で重畳処理された重畳処理後の画像（図９では「重ね合わせ画像」で表記）をコントローラ３８（図５を参照）は縮小処理して、重畳処理後で縮小処理後の画像を、図６に示す縮小画面５４に表示する。この縮小処理によって、重畳処理後の画像を縮小画面５４に縮小表示する。
【００７１】
（ステップＵ４）画像選択
ステップＵ５で拡大表示するために、ステップＳ２，Ｔ２およびステップＵ３で縮小表示された（重畳処理後の画像も含んだ）各画像の中から画像を、入力部３９（図５を参照）により選択する。図６に示す出力モニタ５０から、拡大表示の対象となる画像にポインタを合わせて、クリックすることにより、拡大表示の対象となる画像を選択する。なお、画像選択については、ポインタを合わせて、クリックする手法に限定されず、入力部３９のマウスやキーボードにより、拡大表示の対象となる画像にポインタを合わせてダブルクリックすることにより、拡大表示の対象となる画像を選択してもよいし、入力部３９を出力モニタ５０のタッチパネルで構成し、出力モニタ５０のタッチパネルにおいて拡大表示の対象となる画像を直接に指で触れることにより、拡大表示の対象となる画像を選択してもよい。また、出力モニタ５０から、例えば「選択決定」キーを表示して、入力部３９のマウスやキーボードにより、「選択決定」キーをクリックすることにより、拡大表示の対象となる画像を選択してもよい。
【００７２】
（ステップＵ５）拡大表示
ステップＵ４で選択された画像をコントローラ３８（図５を参照）は拡大処理して、拡大処理後の画像を、図６に示すメイン画面５１に表示する。この拡大処理によって、ステップＵ４で選択された画像をメイン画面５１に拡大表示する。また、ステップＵ４で重畳処理後の画像が選択された場合には、当該重畳処理後の画像を拡大表示する。この場合には、このステップＵ５は、ＩＰ画像、スキャナ画像を重ね合わせて重畳表示することになる。
【００７３】
このメイン画面５１に重畳表示する際に、図８に示すようにＩＰ画像の特定位置（各実施例では円板２４のＵ字流路２６）に測定対象が識別可能な識別情報（図８では「１」〜「３６」の番号）を付加して表示する。図８に示す識別情報７０をメイン画面５１に付加して表示するために、相対位置メモリ部３７Ｂ（図５を参照）から相対位置（円板２４のＵ字流路２６と固定治具６１との相対位置）を読み出して、当該相対位置に基づいて識別情報７０を決定する。
【００７４】
本実施例１に係る測定システムに用いられる表示装置３５によれば、測定対象の液体（各実施例では血液）中に含まれている放射線（各実施例ではβ＋線）の測定情報を有した測定情報画像（各実施例ではＩＰ画像）を表示し、当該測定情報画像（ＩＰ画像）の特定位置（各実施例では円板のＵ字流路）に測定対象が識別可能な識別情報（図８では「１」〜「３６」の番号）を付加して表示する第１識別情報表示手段（各実施例ではメイン画面５１）を備えることで、本来であれば識別情報（「１」〜「３６」の番号）が反映されない測定情報画像（ＩＰ画像）に識別情報（「１」〜「３６」の番号）を付加して表示することにより、少なくとも測定情報画像（ＩＰ画像）上において特定位置を容易に識別することができる。
【００７５】
本実施例１に係る表示装置３５において、測定情報画像（各実施例ではＩＰ画像）、形態情報画像（各実施例ではスキャナ画像）を重ね合わせて重畳表示する重畳表示手段（各実施例ではメイン画面５１）を備えるのが好ましい。測定情報画像（ＩＰ画像）と形態情報画像（スキャナ画像）とを重ね合わせて重畳表示することで、測定情報画像（ＩＰ画像）から形態情報画像（スキャナ画像）の測定対象の領域を視覚的に把握することができる。
【００７６】
本実施例１に係る表示装置３５において、測定対象の液体（各実施例では血液）の形態情報を有した形態情報画像（各実施例ではスキャナ画像）を表示する形態情報画像表示手段（各実施例では縮小画面５３）を備える場合には、形態情報画像（スキャナ画像）には識別情報が反映されるので、両画像間で識別情報を比較することにより、両画像間の特定位置（各実施例では円板２４のＵ字流路２６）を個々に容易に識別することができる。
【００７７】
また、測定対象の液体（各実施例では血液）の形態情報を有した形態情報画像（各実施例ではスキャナ画像）を加工処理（例えば縮小処理、拡大処理あるいは輪郭を強調する強調処理など）する形態情報画像加工処理手段（各実施例ではコントローラ３８）と、その形態情報画像加工処理手段（コントローラ３８）により加工処理された当該形態情報画像（スキャナ画像）を表示する形態情報画像表示手段（各実施例では縮小画面５３）とを備える場合においても、形態情報画像（スキャナ画像）には識別情報が反映されるので、両画像間で識別情報を比較することにより、両画像間の特定位置（各実施例では円板２４のＵ字流路２６）を個々に容易に識別することができる。特に、形態情報画像（スキャナ画像）が不鮮明で、形態情報画像（スキャナ画像）の輪郭を強調する強調処理を行う場合には、輪郭が強調処理された形態情報画像（輪郭強調画像）を表示することで、両画像間の特定位置（円板２４のＵ字流路２６）を個々により一層容易に識別することができる。
【００７８】
また、形態情報画像（各実施例ではスキャナ画像）には識別情報が反映されるものの、その識別情報が不鮮明である場合、あるいは形態情報画像（スキャナ画像）を加工処理（例えば縮小処理）することにより識別情報が不鮮明になった場合には、形態情報画像（スキャナ画像）にも識別情報（例えば、図８に示す「１」〜「３６」の番号）を付加して表示するのが好ましい。すなわち、形態情報画像表示手段（各実施例では縮小画面５３）により表示された当該形態情報画像（スキャナ画像）の特定位置（各実施例では円板２４のＵ字流路２６）に測定対象が識別可能な識別情報を付加して表示する第２識別情報表示手段（例えば「１」〜「３６」の番号を付加して表示する縮小画面５３）を備えることで、測定情報画像（各実施例ではＩＰ画像）および形態情報画像（スキャナ画像）の双方に識別情報（「１」〜「３６」の番号）を付加して表示することにより、両画像上において特定位置（円板２４のＵ字流路２６）をより一層容易に識別することができる。
【００７９】
また、重畳表示手段（各実施例ではメイン画面５１）により重畳表示された当該画像の特定位置（各実施例では円板２４のＵ字流路２６）に測定対象が識別可能な識別情報（例えば、図８に示す「１」〜「３６」の番号）を付加して表示する第３識別情報表示手段（例えば「１」〜「３６」の番号を付加して表示するメイン画面５１）を備えてもよい。重畳表示された画像にも識別情報（「１」〜「３６」の番号）を付加して表示することにより、当該画像上において特定位置（円板２４のＵ字流路２６）をより一層容易に識別することができる。
【００８０】
本実施例１に係る表示装置３５において、測定対象の液体（各実施例では血液）を収容する容器（各実施例では円板２４）における特定位置（各実施例ではＵ字流路２６）と、その容器（円板２４）を固定して位置決めを行いつつ支持する固定治具６１との相対位置を記憶する相対位置記憶手段（各実施例では相対位置メモリ部３７Ｂ）を備え、識別情報（図８では「１」〜「３６」の番号）を、相対位置記憶手段（相対位置メモリ部３７Ｂ）に記憶された当該相対位置に基づいて決定するのが好ましい。固定冶具６１によって容器（円板２４）を固定して位置決めを行いつつ支持すれば、固定冶具６１と容器（円板２４）の特定位置との相対位置が決定されるので、その相対位置を相対位置記憶手段（相対位置メモリ部３７Ｂ）に記憶する。そして、相対位置記憶手段（相対位置メモリ部３７Ｂ）に記憶された当該相対位置に基づいて識別情報を容易に決定することができるので、当該相対位置に基づいて識別情報（「１」〜「３６」の番号）を付加して表示するのが容易になり、正確な識別情報（「１」〜「３６」の番号）を付加して表示することができる。
【実施例２】
【００８１】
次に、図面を参照してこの発明の実施例２を説明する。
図１０は、実施例２に係る一連の処理の流れを示したフローチャートである。上述した実施例１と共通する構成については同じ符号を付して、その説明を省略するとともに、図示を省略する。また、本実施例２に係る採血装置および測定装置については、実施例１でも述べた図１〜図３と同じ構成であり、本実施例２に係る円板や表示装置についても、実施例１でも述べた図４〜図６と同じ構成であるので、その説明および図示を省略する。
【００８２】
実施例１の図９のフローチャートと相違する点は、図９に示すステップＵ１での輪郭強調を行わない点である。つまり、ステップＳ１で読み込まれたスキャナ画像の輪郭を強調して輪郭強調画像を出力する輪郭強調を行わずに、図１０では、ステップＳ１で読み込まれたスキャナ画像、ステップＴ１で読み込まれたＩＰ画像を重ね合わせて重畳処理する（ステップＵ２）。その他の各ステップについては、実施例１の図９のフローチャートにおける各ステップと同じであるので、その説明を省略する。
【００８３】
本実施例２の作用・効果については、実施例１の輪郭強調を本実施例２では行わない点を除けば、実施例１の作用・効果と同じであるので、その説明を省略する。
【００８４】
この発明は、上記実施形態に限られることはなく、下記のように変形実施することができる。
【００８５】
（１）上述した各実施例では、測定対象の液体として血液を例に採って説明したが、測定対象の液体であれば、血液に限定されずに、放射性物質や蛍光剤が含まれた液体や、分析装置に用いられる混合液などであってもよい。また、測定対象の液体は、遠心分離の対象となる液体でなくともよい。
【００８６】
（２）上述した各実施例では、測定情報画像は、イメージングプレートＩＰから取得された放射線（各実施例ではβ＋線）の測定情報を有したＩＰ画像であったが、測定対象の液体中に含まれている発光あるいは蛍光物質から発生した光あるいは測定対象の液体中に含まれている放射線の測定情報を有した測定情報画像であれば、必ずしもＩＰ画像に限定されない。
【００８７】
（３）上述した各実施例では、形態情報画像は、撮像部３４のフラットヘッドスキャナから取得されたスキャナ画像であったが、測定対象の液体の形態情報を有した形態情報画像であれば、例えば放射線照射手段および放射線検出手段で構成される放射線撮像手段で取得された形態情報画像などのように、必ずしもスキャナ画像に限定されない。
【００８８】
（４）上述した各実施例では、形態情報画像（各実施例ではスキャナ画像）と重ね合わせて重畳表示したが、必ずしも形態情報画像は必要ではない。測定情報画像（各実施例ではＩＰ画像）の単独の画像に対して識別情報（図８では「１」〜「３６」の番号）を付加して表示してもよい。
【００８９】
（５）上述した各実施例では、重畳表示手段（各実施例ではメイン画面５１）を備えたが、必ずしも重畳表示する必要はない。
【００９０】
（６）上述した各実施例では、測定対象の液体（各実施例では血液）を収容する容器（各実施例では円板２４）における特定位置（各実施例ではＵ字流路２６）と、その容器（円板２４）を固定して位置決めを行いつつ支持する固定治具６１との相対位置を記憶する相対位置記憶手段（各実施例では相対位置メモリ部３７Ｂ）を備え、識別情報（図８では「１」〜「３６」の番号）を、相対位置記憶手段（相対位置メモリ部３７Ｂ）に記憶された当該相対位置に基づいて決定したが、必ずしも固定冶具で固定して位置決めを行いつつ支持する必要はない。
【００９１】
（７）上述した各実施例では、特定位置は円板２４のＵ字流路２６であったが、必ずしも流路に限定されない。基準となる位置（例えば切り欠き位置）を特定位置として、その基準となる位置に識別情報を付加して表示してもよい。
【００９２】
（８）上述した各実施例では、容器は遠心分離を行う円板であったが、測定対象の液体が、遠心分離の対象となる液体でない場合には、液体を収容する容器であれば、円板に限定されない。方形の板や多角形の板などであってもよい。
【００９３】
（９）上述した各実施例では、識別情報は番号であったが、記号や模様などに例示されるように、測定対象が識別可能な識別情報であれば、特に限定されない。
【符号の説明】
【００９４】
２４  …  円板
３５  …  表示装置
３７Ｂ  …  相対位置メモリ部
３８  …  コントローラ
５１  …  メイン画面
５３  …  縮小画面
７０  …  識別情報
【図１】
0005724780.tif 000002
【図２】
0005724780.tif 000003
【図３】
0005724780.tif 000004
【図４】
0005724780.tif 000005
【図５】
0005724780.tif 000006
【図６】
0005724780.tif 000007
【図７】
0005724780.tif 000008
【図８】
0005724780.tif 000009
【図９】
0005724780.tif 000010
【図１０】
0005724780.tif 000011